(57)【特許請求の範囲】
【請求項１】
ハウジング内に着脱されるカードの挿入及び排出方向にスライド移動可能なスライド部材と、このスライド部材を前記カードの排出方向へ付勢する復帰ばねと、この復帰ばねの付勢力に抗して前記スライド部材を、前記カードが挿着された位置に保持するロック部材と、前記スライド部材に設けられ、挿入された前記カードと係合し、前記カードの挿入及び排出に伴って前記スライド部材と共に移動するイジェクトアームと、待機位置と押し込み位置との間を移動可能に配設され、押圧操作によって前記ロック部材のロックを解除して、前記スライド部材を前記カードの排出位置まで移動させるプッシュロッドとを備え、前記イジェクトアームは前記カードの挿入及び排出に伴って回動可能とし、前記スライド部材が前記カードの挿入及び排出方向に移動する間において、前記イジェクトアームの回動を規制するカム部が設けられ、前記プッシュロッドには、前記プッシュロッドが前記押し込み位置まで押圧された時、前記カードの排出位置にある前記スライド部材がカードの排出方向へ移動するのを阻止するストッパー部を設けると共に、前記待機位置では、前記ストッパー部は、前記スライド部材がカードの排出方向へ移動するのを許容するように形成し、前記カードの排出に伴って前記スライド部材が前記カードの排出位置まで排出方向に移動する時、前記イジェクトアームの回動が前記カム部により規制され、前記カードと前記イジェクトアームとの係合を保持すると共に、前記ストッパー部により前記スライド部材の前記カードの排出方向への移動が阻止されて前記カードが排出位置に停止されるようにしたことを特徴とするカード用コネクタ。
【請求項２】
前記スライド部材が前記カードの排出方向へ移動した時、前記スライド部材の一端が当接するコイルばねを備え、このコイルばねによって前記復帰ばねの付勢力に抗して前記スライド部材を前記カードの排出位置に位置決めするようにしたことを特徴とする請求項１記載のカード用コネクタ。
【請求項３】
前記コイルばねにより、前記プッシュロッドを前記押し込み位置から前記待機位置に復帰させるようにしたことを特徴とする請求項２記載のカード用コネクタ。
【請求項４】
前記カードが前記スライド部材と共にカードの排出方向へ移動可能とし、前記スライド部材が前記カードの排出位置まで移動した時、前記コイルばねが撓むことによって前記スライド部材がカードの排出方向へ移動し、前記カードの引き出しを可能としたことを特徴とする請求項２、又は３記載のカード用コネクタ。
【請求項５】
前記ロック部材は、前記プッシュロッドの押圧操作によって前記ハウジング内に着脱される前記カードの平坦面に直交する方向へ回動可能なように配設されると共に、前記ハウジングを覆うカバー部材に前記ロック部材を付勢するばね片を形成したことを特徴とする請求項１乃至４の何れかに記載のカード用コネクタ。
【請求項６】
前記プッシュロッドは、薄板状の金属板を折り曲げて形成したことを特徴とする請求項１乃至５の何れかに記載のカード用コネクタ。
【発明の詳細な説明】
【０００１】
【発明の属する技術分野】
本発明は、パーソナルコンピュータなどの記憶媒体などに用いられるＩＣカードや、デジタルカメラなどの電子機器などに使用されるＣＦ（コンパクトフラッショ）カードなどに使用される、カード用コネクタの構造に関する
【０００２】
【従来の技術】
パーソナルコンピュータの増設記録装置としてＩＣカード用コネクタが一般的に使用されている。このＩＣカード用コネクタの記憶媒体としてはＩＣカードが広く使用さるようになってきている。
【０００３】
このＩＣカードをＩＣカード用コネクタに挿着して必要な情報の書き込み、及び読み取りを行うが、このＩＣカードを着脱する場合に、その操作性を向上させるために、ＩＣカード用コネクタにはＩＣカードを排出する時の排出機構を備えたものがある。
【０００４】
この従来のＩＣカードの排出機構としては、ＩＣカードを搬送するスライド部材と、このスライド部材をＩＣカードの挿着位置に保持させるロック部材と、このロック部材が解除された場合にはスライド部材を排出方向へ付勢するばね部材を設け、スライド部材の排出方向への移動に伴ってＩＣカードが排出される時、このばね部材の付勢力でＩＣカードが排出方向へ押し出される構造となったものが知られている。
【０００５】
【発明が解決しようとする課題】
しかしながら、上述した従来のＩＣカード用コネクタの構造においては、スライド部材を排出方向へ付勢するばね部材の付勢力で、ＩＣカードを搬送するスライド部材と共に、ＩＣカードを排出方向へ付勢する構造となっていることから、このばね部材の付勢力で、ＩＣカードが、ＩＣカード用コネクタから外れて飛び出してしまうという問題があった。
【０００６】
また、ＩＣカードが飛び出さないように、ばね部材の付勢力を調整して弱くすることも可能であるが、ばね部材の付勢力を弱くすると、ＩＣカードを排出するための必要なストロークを確保することが難しく、ＩＣカードの取り出しが困難になるという問題があった。
【０００７】
したがって、本発明では上述した問題点を解決し、カードの排出機構を備えたカード用コネクタの構造で、スライド部材を付勢するばね部材の付勢力を弱くすることなく、ばね部材の付勢力でカードがカード用コネクタから外れて飛び出すことを防止できると共に、カードを取り出す時には容易に取り出すことができるカード用コネクタを提供することを目的とする。
【０００８】
【課題を解決するための手段】
上記課題を解決するために本発明では第１の手段として、ハウジング内に着脱されるカードの挿入及び排出方向にスライド移動可能なスライド部材と、このスライド部材を前記カードの排出方向へ付勢する復帰ばねと、この復帰ばねの付勢力に抗して前記スライド部材を、前記カードが挿着された位置に保持するロック部材と、前記スライド部材に設けられ、挿入された前記カードと係合し、前記カードの挿入及び排出に伴って前記スライド部材と共に移動するイジェクトアームと、待機位置と押し込み位置との間を移動可能に配設され、押圧操作によって前記ロック部材のロックを解除して、前記スライド部材を前記カードの排出位置まで移動させるプッシュロッドとを備え、前記イジェクトアームは前記カードの挿入及び排出に伴って回動可能とし、前記スライド部材が前記カードの挿入及び排出方向に移動する間において、前記イジェクトアームの回動を規制するカム部が設けられ、前記プッシュロッドには、前記プッシュロッドが前記押し込み位置まで押圧された時、前記カードの排出位置にある前記スライド部材がカードの排出方向へ移動するのを阻止するストッパー部を設けると共に、前記待機位置では、前記ストッパー部は、前記スライド部材がカードの排出方向へ移動するのを許容するように形成し、前記カードの排出に伴って前記スライド部材が前記カードの排出位置まで排出方向に移動する時、前記イジェクトアームの回動が前記カム部により規制され、前記カードと前記イジェクトアームとの係合を保持すると共に、前記ストッパー部により前記スライド部材の前記カードの排出方向への移動が阻止されて前記カードが排出位置に停止されるようにしたことを特徴とする。
【０００９】
また、第２の手段として、前記スライド部材が前記カードの排出方向へ移動した時、前記スライド部材の一端が当接するコイルばねを備え、このコイルばねによって前記復帰ばねの付勢力に抗して前記スライド部材を前記カードの排出位置に位置決めするようにしたことを特徴とする。
【００１０】
また、第３の手段として、前記コイルばねにより、前記プッシュロッドを前記押し込み位置から前記待機位置に復帰させるようにしたことを特徴とする。
【００１１】
また、第４の手段として、前記カードが前記スライド部材と共にカードの排出方向へ移動可能とし、前記スライド部材が前記カードの排出位置まで移動した時、前記コイルばねが撓むことによって前記スライド部材がカードの排出方向へ移動し、前記カードの引き出しを可能としたことを特徴とする。
【００１２】
また、第５の手段として、前記ロック部材は、前記プッシュロッドの押圧操作によって前記ハウジング内に着脱される前記カードの平坦面に直交する方向へ回動可能なように配設されると共に、前記ハウジングを覆うカバー部材に前記ロック部材を付勢するばね片を形成したことを特徴とする。
【００１３】
また、第６の手段として、前記プッシュロッドは、薄板状の金属板を折り曲げて形成したことを特徴とする。
【００１４】
【発明の実施の形態】
以下、本発明の１実施例を図１乃至図３５に示す。図１は本発明のカード用コネクタを示す平面図、図２は同じく正面図、図３はハウジングの平面図、図４は同じく正面図、図５はカードの平面図、図６は同じく底面図、図７はスライド部材の平面図、図８は同じく側面図、図９はイジェクトアームの平面図、図１０は同じく底面図、図１１はスライドユニットの平面図、図１２は同じく底面図、図１３はロック部材の平面図、図１４は同じく側面図、図１５及び図１６はロック部材とハウジングの取付関係図、図１７はスライドユニットをハウジングに取り付けた状態の関係図、図１８はプッシュロッドの平面図、図１９は同じく側面図、図２０はハウジングにプッシュロッドを取り付けた状態の関係図、図２１はカバーの平面図、図２２は同じく側面図、図２３はロック部材とカバーの取付関係図である。
【００１５】
図において、ハウジング１は、合成樹脂などの絶縁材で略方形に形成されており、このハウジング１には、内部に後述するＩＣカード３が挿入され収納される収納部１ａが設けられている。この収納部１ａの内底部には、導電性の金属材からなる複数の接触端子２ａが配設されており、この接触端子２ａの他端側は、前記ハウジング１の外方へ導出されて、図示しない外部の回路基板などの回路パターンと接続される接続端子２ｂが形成されている。
また、前記ハウジング１の周面部には後述するカバー１０を係合する係合爪部１ｂが複数個設けられている。
【００１６】
前記ハウジング１の一端側には、前記収納部１ａに連設して、凹状の平坦部１ｃが設けられており、この平坦部１ｃに後述するスライド部材７が配設されるものとなっている。この平坦部１ｃの下端側には、後述するコイルばね８が収納される収納凹部１ｄが設けられており、これと対向する前記ハウジング１の上面側にはスライド部材７の復帰用の復帰ばね４を係止する係止凹部１ｅが設けられている。
また、前記平坦部１ｃの上端側には、後述するロック部材５を係止する係止溝１ｆが設けられており、また、一側部には後述するプッシュロッド９をガイドするガイド壁１ｇが形成されたものとなっている。
【００１７】
また、前記平坦部１ｃの中央には、略台形状のカム部１ｈが突設されている。このカム部１ｈの外周面であるカム壁により、後述するスライド部材６に係合されたイジェクトアーム７に設けられたカムピン７ｄが誘導され、このカムピン７ｄがスライド部材６の移動に伴って前記カム部１ｈの外周面であるカム壁に沿って移動することにより、イジェクトアーム７の回動が規制されるものとなっている。また、前記平坦部１ｃの前記カム部１ｈの上面側には、カードの挿入方向とは直交する方向に水平な面からなる上壁部１ｉが設けられている。
【００１８】
カード３は、内部に集積回路（ＩＣ）が収納されており、記録媒体として広く使用されているものである。このカード３の底面側には、その一端側に複数の接点部３ａが形成されており、この接点部３ａが前記ハウジング１の収納部１ａに設けられた複数の接触端子２ａと接触することにより、外部に接続された電子機器との種々の情報処理が行われるものとなっている。
また、前記カード３には、その一側部に、後述するイジェクトアーム７の第２のアーム部７ｂが係合される凹部３ｂが設けられている。
【００１９】
ロック部材５は合成樹脂などの絶縁材で形成されており、このロック部材５の略中央には、前記ハウジング１の係止溝１ｆに係止される一対の係止軸５ａが形成されている。また、中央から延設された係止腕部５ｂの先端部には、後述するスライド部材６に係脱可能なフック状の係止部５ｃが形成されている。この係止部５ｃの先端側には傾斜部５ｄが設けられており、この傾斜部５ｄに後述するプッシュロッド９の解除操作部９ｃが当接することにより、前記係止部５ｃが前記係止軸５ａを支点として回動するようになっている。
この場合、前記ロック部材５の回動方向は、前記ハウジング１内に着脱される前記カード３の平坦面に直交する方向（上下方向）へ回動可能なように配設されるものとなっている。このため、左右方向への回動スペースを必要としないことから、前記ハウジング１の幅寸法を小さくすることが可能となっている。
【００２０】
スライド部材６は合成樹脂などの絶縁材で形成されており、このスライド部材６の一端側には前記ロック部材５の係止部５ｃと係合される係合突部６ａを有する係合腕部６ｂが設けられている。また、この係止腕部６ｂと並設して、前記ハウジング１に係止される前記復帰ばね４の一端側が係止される係止軸６ｃが形成されている。この係止軸６ｃと対向する他端側には、後述するプッシュロッド９のストッパー部９ｅと当接される幅広の平面からなるストッパー面６ｄが形成されており、更に、このストッパー面６ｄには突出した停止突部６ｅが設けられている。この停止突部６ｅの端部が、前記ハウジング１の前記収納凹部１ｄに収納される後述するコイルばね８に当接するように配設されるものとなっている。
【００２１】
また、前記スライド部材６の略中央部には開口部６ｆが設けられており、この開口部６ｆの中央には、後述するイジェクトアーム７が回動可能に取り付けられる軸部６ｇが突出して設けられている。
前記スライド部材６は、前記ハウジング１の平坦部１ｃ内に配設され、前記復帰ばね４に付勢されながら、前記ハウジング１内を上下方向、即ち前記カード３の挿入、排出方向へ移動可能となるように取り付けられるものとなっている。
【００２２】
イジェクトアーム７は、合成樹脂などの絶縁材で略Ｕ字状に形成されており、このイジェクトアーム７には、基部から外方へ延出された、第１及び第２のアーム部７ａ、７ｂが形成されている。この第１のアーム部７ａは、前記カード３の挿入時に、前記カード３の前端部に係合されるように設けられている。また、前記第２のアーム部７ｂは、その先端部の形状が略円弧状とされており、前記カード３の一側部に形成された凹部３ｂと係合され、この凹部３ｂ内を回動しながら係脱されるように設けられている。
【００２３】
前記イジェクトアーム７には、その中央部に、軸孔７ｃが設けられており、この軸孔７ｃが、前記スライド部材６に形成された前記軸部６ｇに挿通されることにより、前記イジェクトアーム７は、前記軸部６ｇの回りに回動可能となるように取付けられるものとなっている。また、前記イジェクトアーム７の一側面部には、前記ハウジング１に設けられた前記カム部１ｈのカム壁に沿って移動するピン状のカムピン７ｄが設けられている。
図１１、１２は前記スライド部材６に前記イジェクトアーム７が取り付けられて、スライドユニットとされた状態を示している。
【００２４】
コイルばね８は、金属線材からなる圧縮ばねで、前記ハウジング１の係止凹部１ｄに収納され、前記スライド部材６がカードの排出方向に移動した時、前記復帰ばね４の付勢力に抗して前記スライド部材６をカードの排出位置に位置決めするように形成されている。
また、前記スライド部材６を挿入方向へ付勢する付勢部材としての役目と、後述するプッシュロッド９を押し込み位置から待機位置に復帰させる役目とを兼ね備えたものとなっている。
【００２５】
プッシュロッド９は、薄板状の金属板を折り曲げて形成されており、方形状の基板部９ａと、直角に折り曲げられ、この基板部９ａから一端側に薄板状に細長く延設された側板部９ｂとから形成されている。前記側板部９ｂの延設された先端には、前記ロック部材５の前記係止部５ｃの先端に設けられた傾斜部５ｄに当接して、前記ロック部材５を回動させる解除操作部９ｃが形成されている。
また、前記基板部９ａには、人間の指などで押圧操作される押釦９ｄが取り付けられており、この押釦９ｄの取付側とは反対側には、幅広の平面からなるストッパー部９ｅが設けられている。このストッパー部９ｅに前記スライド部材６のストッパー面６ｄが当接することで前記スライド部材６の移動が規制されるものとなっている。
また、前記プッシュロッド９は、前記スライド部材６と共に前記ハウジング１に組み込まれ、前記側板部９ｂが前記ハウジング１に設けられた前記ガイド壁１ｇにガイドされることで、前記ハウジング１内を移動するように配設されている。
【００２６】
カバー１０は、金属性の板材から形成されており、このカバー１０には平板状の上板部１０ａと、この上板部１０ａから直角に折り曲げられ、前記ハウジング１の係合爪部１ｂに係合される複数の係止窓部１０ｂを有する横板部１０ｃ、１０ｃが形成されている。前記カバー１０は、前記ハウジング１の開口部を覆うように前記ハウジング１の上面側に取り付けられるものとなっている。
また、前記カバーの上板部１０ａには、切り起こすことによりばね片１０ｄが設けられており、このばね片１０ｄが前記ロック部材５の係止腕部５ｂに当接されて、前記係止部５ｃを前記スライド部材６の係合突部６ａ側へ付勢している。このため、前記ロック部材５の付勢用としてのばね部材を別途設ける必要がないことから、部品点数の削減、及び前記ハウジング１の小型化が図れるものとなる。
【００２７】
次に、上述したカード用コネクタの動作を図２４乃至図３５で説明する。
図２４乃至図３４は、本発明のカード用コネクタの挿入／排出時の動作状態を示す説明図で、図２４はハウジングにカードを挿入する初期の状態を示す説明図、図２５はカードの挿入途上の状態を示す説明図、図２６は同じくカードの挿入途上でスライド部材がロック部材と係合する直前の状態を示す説明図、図２７はカードの挿入が終了した状態を示す説明図、図２８は同じくカードの挿入終了時でスライド部材がロックされた状態を示す説明図、図２９はスライド部材がロックされた状態のロック部材とプッシュロッドの関係を示す説明図、図３０はプッシュロッドを押圧してスライド部材のロックを解除した状態を示す説明図、図３１はロックされたスライド部材を解除しカードが排出位置まで排出された状態を示す説明図、図３２はカードの排出位置からカードを手前に引いた状態を示す説明図、図３３はカードの排出途上でイジェクトアームが排出方向へ回動する状態を示す説明図、図３４はカードと第２のアーム部との係合が外れてカードを排出する状態を示す説明図であり、また、図３５はカードの挿入時にカードを裏返して挿入した状態を示す説明図である。
尚、図においてはロック部材とスライド部材、及びロック部材とプッシュロッドの係合／解除の状態を分かりやすくするために部分的に側面図で示している。
【００２８】
まず、前記ハウジング１の収納部１ａに前記カード３を挿入する。この時、前記イジェクトアーム７の前記第１のアーム部７ａが前記カード３の前端部に当接し、前記第１のアーム部７ａはカードの挿入方向に押圧されることになる。（図２４）
【００２９】
この時、前記イジェクトアーム７のカムピン７ｄは、前記ハウジング１の前記カム部１ｈによりその動きが規制されていることから、前記第１のアーム部７ａはカードの挿入方向へは回動されずに、前記スライド部材６は前記復帰ばね４の付勢力に抗してカードの挿入方向へ移動する。この時、前記イジェクトアーム７に設けられた前記カムピン７ｄが前記ハウジング１に設けられた前記カム部１ｈのカム壁に沿って移動することなり、前記イジェクトアーム７はカードの挿入方向へ規制された状態で一定距離だけ回動する。（図２５）
【００３０】
更に、前記復帰ばね４の付勢力に抗して前記カード３を挿入方向に押圧すると、前記スライド部材６はカードの挿入方向へ移動し、前記カムピン７ｄは、前記カム部１ｈのカム壁から外れて前記スライド部材６の開口部６ｆの側壁６ｈに当接する。この時、前記イジェクトアーム７はカードの挿入方向へ一定距離だけ回動し、この回動により前記第２のアーム部７ｂが前記カード３の凹部３ｂに係合する。この時、前記カード３の前記接点部３ａは前記ハウジング１の接触端子２ａと接触される。この時、前記ロック部材５は前記スライド部材６と当接され、前記スライド部材６の移動に伴い前記係合突部６ａが前記ロック部材５の傾斜部５ｄを押圧することにより、前記ロック部材５が側面図で示す時計回りに若干回動する。（図２６）
【００３１】
次に、更に前記カード３を挿入方向に押圧すると、前記スライド部材６はカードの挿入方向へ移動し、前記カード３が前記ハウジング１の収納部１ａの内縁部に当接した時点で挿入が停止され、前記カード３の前記ハウジング１への挿着が完了する。これに伴い前記スライド部材６及び前記イジェクトアーム７の移動も停止される。この時、前記ロック部材５の係止腕部５ｂは前記カバー１０に設けられたばね片１０ｄによって前記スライド部材６の係合腕部６ｂ側へ付勢されていることから、前記係合突部６ａが前記傾斜部５ｂから外れた時点で前記ロック部材５は側面図で示す反時計方向へ回動されることから、前記ロック部材５の前記係止部５ｃは前記スライド部材６の前記係合突部６ａと確実に対峙された状態となる。（図２７）
【００３２】
次に、前記カード３への押圧を解除すると、前記スライド部材６は前記復帰ばね４の付勢力により、カードの排出方向へ僅かだけ戻され、この時、前記係合突部６ａが前記ロック部材５の前記係止部５ｃと係合することでその位置に前記スライド部材６がロックされる。（図２８）
【００３３】
次に、前記ハウジング１に挿着した前記カード３を排出する場合には、前記カード３の挿着状態（図２９）から、待機位置にある前記プッシュロッド９の押釦９ｄを、前記コイルばね８の付勢力に抗して指などで押圧して、前記プッシュロッド９をカードの挿入方向へ押し込み位置まで移動させると、前記解除操作部９ｃが前記ロック部材５の傾斜部５ｄを押圧することにより、前記ロック部材５の係止腕部５ｂが側面図に示す時計方向へ回動され、前記ロック部材５の前記係止部５ｃが前記スライド部材６の係合突部６ａから外れた状態となる。（図３０）
【００３４】
そして、前記スライド部材６は前記復帰ばね４の付勢力によりカードの排出方向へと移動される。この時、前記プッシュロッド９の解除操作部９ｃは、金属板を折り曲げて一端側に薄板状に細長く延設された側板部９ｂに形成されていることから、前記スライド部材６の移動を妨げないように配設することが可能となっている。また、配設に場所を取らないことから前記ハウジング１の幅寸法を小さく形成することができる。
【００３５】
前記スライド部材６がカードの排出方向へ移動するのに伴い、前記イジェクトアーム７はその回動が規制された状態で、前記カムピン７ｄが前記カム部１ｈのカム壁に当接する位置まで、前記スライド部材６と共にカードの排出方向へ移動する。そして、前記コイルばね８の端部に前記スライド部材６の停止突部６ｅの後端部が当接することにより、前記スライド部材６の移動が停止され、前記カード３は排出位置に停止されるものとなる。
この時、前記プッシュロッド９の基板部９ａには幅広の平面からなる前記ストッパー部９ｅが設けられており、押し込み位置では、このストッパー部９ｅに、カードの排出方向へ移動された前記スライド部材６の一端側に設けられた前記ストッパー面６ｄが当接することにより、確実に、前記スライド部材６の移動が停止され、前記カード３は排出位置に停止されるものとなる。この時、前記カード３の前記接点部３ａは前記ハウジング１の接触端子２ａとの接触が解除される。
（図３１）
【００３６】
この場合、前記カード３は、前記凹部３ｂが前記第２のアーム部７ｂに係合されており、前記カムピン７ｄは前記カム部１ｈのカム壁に当接されてその回動が規制されていることから、前記カード３が前記ハウジング１の収納部１ａから飛び出すことを防止することができる。
【００３７】
次に、前記プッシュロッド９の押圧を解除すると、前記プッシュロッド９は前記コイルばね８の付勢力によって初期の待機位置へと復帰する。この時、前記スライド部材６のストッパー面６ｄと、前記プッシュロッド９のストッパー部９ｅとの当接が解除され、前記スライド部材６は、カードの排出方向への移動が可能な状態となる。
この状態から、指などによって前記カード３を引き出すと、前記スライド部材６は前記コイルばね８の付勢力に抗して手前側に移動し、前記カムピン７ｄは前記カム部１ｈのカム壁から外れる方向に移動し、前記イジェクトアーム７はカードの排出方向へ回動が可能な状態となる。（図３２）
【００３８】
更に、この状態から前記カード３を引き出すと、前記スライド部材６は前記コイルばね８が撓むことによりカードの排出方向へと移動する。この時、前記イジェクトアーム７は、前記カード３の排出方向へ回動することが可能となる。（図３３）
【００３９】
更に、前記イジェクトアーム７のカードの排出方向への回動に伴って、前記第２のアーム部７ｂは、前記カード３の前記凹部３ｂとの係合が外れることとなり、前記カード３は前記ハウジング１の前記収納部１ａから排出される。（図３４）
そして、前記カード３が排出されると、前記スライド部材６は、前記コイルばね８の付勢力でカードの挿入方向へ移動し、初期の状態（図２４）に戻るものとなる。
【００４０】
上記の本発明の実施例によれば、押圧操作によって前記ロック部材５のロックを解除して、前記スライド部材６を前記カード３の排出位置まで移動させる前記プッシュロッド９に、このプッシュロッド９が押し込み位置まで押圧された時に前記カード３の排出位置にある前記スライド部材６がカードの排出方向へ移動するのを阻止する前記ストッパー部９ｅを設けたことから、確実に、前記スライド部材６の移動を停止させると共に、前記カード３を排出位置に停止させ、前記カード３が前記ハウジング１の収納部１ａから飛び出すことを防止することができるものとなっている。
【００４１】
また、前記プッシュロッド９の復帰用のばねと、前記スライド部材６を前記カード３の排出位置に位置決めする位置決め用のばねとを兼用したことから、複数のばねを別途設ける必要がなく、構成を簡単にできる。
【００４２】
図３５は、カードの挿入時にカードを誤って裏返して挿入した状態を示しており、前記カード３に設けられた凹部３ｂは、前記イジェクトアーム７の取り付け位置とは反対側（図示左側）に位置している。この場合、前記カード３の挿入途上において、前記第２のアーム部７ｂが前記凹部３ｂと係合することができず、前記イジェクトアーム７は、その回動を阻止されたままカードの挿入方向へ移動することとなる。この時、前記カムピン１ｈは前記ハウジング１の平坦部１ｃの側壁に沿って移動するが、前記平坦部１ｃの上面側に設けられた上壁部１ｉに当接し、それ以上のカードの挿入方向への移動が阻止されるものとなる。
【００４３】
この場合、これ以上前記カード３を挿入方向へ挿入できないことから、前記ハウジング１に配設された接触端子２ａを誤って破損することを防止できる。
また、この状態では、前記スライド部材６は前記ロック部材５にロックされる位置まで移動されないことから、前記カード３への押圧を止めれば、前記カード３は前記復帰ばね４の復帰力によりカードの挿入初期位置まで戻ってくるため、誤挿入を容易に判断することが可能となっている。
【００４４】
尚、上記実施例においては、前記接点部３ａ、前記接触端子２ａが面接点タイプのカード用コネクタで説明したが、ピン／ソケットタイプのカード用コネクタにも適用できるのはもちろんである。
【００４５】
【発明の効果】
以上説明したように、本発明のカード用コネクタは、押圧操作によってロック部材のロックを解除して、スライド部材をカードの排出位置まで移動させるプッシュロッドに、プッシュロッドが押し込み位置まで押圧された時、カードの排出位置にあるスライド部材がカードの排出方向へ移動するのを阻止するストッパー部を設けると共に、待機位置では、ストッパー部は、スライド部材がカードの排出方向へ移動するのを許容するように形成し、カードの排出に伴ってスライド部材がカードの排出位置まで排出方向に移動する時、イジェクトアームの回動がカム部により規制され、カードとイジェクトアームとの係合を保持すると共に、ストッパー部によりスライド部材のカードの排出方向への移動が阻止されてカードが排出位置に停止されるようにしたことから、カードの排出時に、確実にスライド部材の移動を停止させると共に、カードを排出位置に停止させ、復帰ばねの付勢力によってカードがハウジングの収納部から飛び出すことを防止することが可能となる。
【００４６】
また、スライド部材がカードの排出方向へ移動した時、スライド部材の一端が当接するコイルばねを備え、このコイルばねによって復帰ばねの付勢力に抗してスライド部材をカードの排出位置に位置決めするようにしたことから、カードの排出時に、スライド部材の移動を停止させると共に、カードを排出位置に停止させることができる。
【００４７】
また、コイルばねにより、プッシュロッドを押し込み位置から待機位置に復帰させるようにしたことから、複数のばねを別途設ける必要がなく、構成を簡単にできる。
【００４８】
また、カードがスライド部材と共にカードの排出方向へ移動可能とし、スライド部材がカードの排出位置まで移動した時、コイルばねが撓むことによってスライド部材がカードの排出方向へ移動し、カードの引き出しを可能としたことから、簡単な構造でスライド部材の位置決め構造が得られる。
【００４９】
また、ロック部材は、プッシュロッドの押圧操作によってハウジング内に着脱されるカードの平坦面に直交する方向へ回動可能なように配設されると共に、ハウジングを覆うカバー部材にロック部材を付勢するばね片を形成したことから、左右方向への回動スペースを必要としないため、ハウジングの幅寸法を小さくすることが可能となっている、また、ロック部材の付勢用としてのばね部材を別途設ける必要がないことから、部品点数の削減、及びハウジングの小型化が図れる。
【００５０】
また、プッシュロッドは、薄板状の金属板を折り曲げて形成したことから、スライド部材の移動を妨げないように配設することが可能となっている。また、配設に場所を取らないことからハウジングの幅寸法を小さく形成することが可能となる。
【図面の簡単な説明】
【図１】本発明の１実施例であるカード用コネクタを示す平面図である。
【図２】本発明の同じくカード用コネクタを示す正面図である。
【図３】本発明の同じくハウジングを示す平面図である。
【図４】本発明の同じくハウジングを示す正面図である。
【図５】本発明の同じくカードを示す平面図である。
【図６】本発明の同じくカードを示す底面図である。
【図７】本発明の同じくスライド部材を示す平面図である。
【図８】本発明の同じくスライド部材を示す側面図である。
【図９】本発明の同じくイジェクトアームを示す平面図である。
【図１０】本発明の同じくイジェクトアームを示す底面図である。
【図１１】本発明の同じくスライドユニットを示す平面図である。
【図１２】本発明の同じくスライドユニットを示す底面図である。
【図１３】本発明の同じくロック部材を示す平面図である。
【図１４】本発明の同じくロック部材を示す側面図である。
【図１５】本発明の同じくロック部材とハウジングの取り付け状態を示す関係図である。
【図１６】本発明の同じくロック部材とハウジングの取り付け状態を示す関係図である。
【図１７】本発明の同じくスライドユニットをハウジングに取り付けた状態を示す関係図である。
【図１８】本発明の同じくプッシュロッドを示す平面図である。
【図１９】本発明の同じくプッシュロッドを示す側面図である。
【図２０】本発明の同じくハウジングにプッシュロッドを取り付けた状態を示す関係図である。
【図２１】本発明の同じくカバーを示す平面図である。
【図２２】本発明の同じくカバーを示す側面図である。
【図２３】本発明の同じくロック部材とカバーの取り付け状態を示す関係図である。
【図２４】本発明のハウジングにカードを挿入する初期の状態を示す説明図である。
【図２５】本発明のカードの挿入途上の状態を示す説明図である。
【図２６】本発明の同じくカードの挿入途上でスライド部材がロック部材と係合する直前の状態を示す説明図である。
【図２７】本発明のカードの挿入が終了した状態を示す説明図である。
【図２８】本発明の同じくカードの挿入終了時でスライド部材がロックされた状態を示す説明図である。
【図２９】本発明のスライド部材がロックされた状態のロック部材とプッシュロッドの関係を示す説明図である。
【図３０】本発明のプッシュロッドを押圧してスライド部材のロックを解除した状態を示す説明図である。
【図３１】本発明のロックされたスライド部材を解除しカードが排出位置まで排出された状態を示す説明図である。
【図３２】本発明のカードの排出位置からカードを手前に引いた状態を示す説明図である。
【図３３】本発明のカードの排出途上でイジェクトアームが排出方向へ回動する状態を示す説明図である。
【図３４】本発明のカードと第２のアーム部との係合が外れてカードを排出する状態を示す説明図である。
【図３５】本発明のカードの挿入時にカードを裏返して挿入した状態を示す説明図である。
【符号の説明】
１  ハウジング
１ａ  収納部
１ｂ  係止爪部
１ｃ  平坦部
１ｄ  収納凹部
１ｅ  係止凹部
１ｆ  係止溝
１ｇ  ガイド壁
１ｈ  カム部
１ｉ  上壁部
２ａ  接触端子
２ｂ  接続端子
３  カード
３ａ  接点部
３ｂ  凹部
４  復帰ばね
５  ロック部材
５ａ  係止軸
５ｂ  係止腕部
５ｃ  係止部
５ｄ  傾斜部
６  スライド部材
６ａ  係合突部
６ｂ  係合腕部
６ｃ  係止軸
６ｄ  ストッパー面
６ｅ  係止突部
６ｆ  開口部
６ｇ  軸部
６ｈ  側壁
７  イジェクトアーム
７ａ  第１のアーム部
７ｂ  第２のアーム部
７ｃ  軸孔
７ｄ  カムピン
８  コイルばね
９  プッシュロッド
９ａ  基板部
９ｂ  側板部
９ｃ  解除操作部
９ｄ  押釦
９ｅ  ストッパー部
１０  カバー
１０ａ  上板部
１０ｂ  係止窓部
１０ｃ  横板部
１０ｄ  ばね片
【図１】
0003734998.tif 000002
【図２】
0003734998.tif 000003
【図３】
0003734998.tif 000004
【図４】
0003734998.tif 000005
【図５】
0003734998.tif 000006
【図６】
0003734998.tif 000007
【図７】
0003734998.tif 000008
【図８】
0003734998.tif 000009
【図９】
0003734998.tif 000010
【図１０】
0003734998.tif 000011
【図１１】
0003734998.tif 000012
【図１２】
0003734998.tif 000013
【図１３】
0003734998.tif 000014
【図１４】
0003734998.tif 000015
【図１５】
0003734998.tif 000016
【図１６】
0003734998.tif 000017
【図１７】
0003734998.tif 000018
【図１８】
0003734998.tif 000019
【図１９】
0003734998.tif 000020
【図２０】
0003734998.tif 000021
【図２１】
0003734998.tif 000022
【図２２】
0003734998.tif 000023
【図２３】
0003734998.tif 000024
【図２４】
0003734998.tif 000025
【図２５】
0003734998.tif 000026
【図２６】
0003734998.tif 000027
【図２７】
0003734998.tif 000028
【図２８】
0003734998.tif 000029
【図２９】
0003734998.tif 000030
【図３０】
0003734998.tif 000031
【図３１】
0003734998.tif 000032
【図３２】
0003734998.tif 000033
【図３３】
0003734998.tif 000034
【図３４】
0003734998.tif 000035
【図３５】
0003734998.tif 000036